(57)【要約】【課題】靴等を乾燥させる際に、その靴等を容易かつ迅速に保持させることができるとともにその保持角度を簡単に調節可能で、かつ、低コストで製作可能な靴等の乾燥用ハンガー装置を提供する。【解決手段】靴１２等を乾燥させる際にその靴１２等を保持させる靴等の乾燥用ハンガー装置１０であって、フック状の吊支部１４と、吊支部１４の下端側に係合連結され、靴１２を空中で保持する靴保持体１６と、を含み、靴を靴保持体１６に保持しつつ靴の履き口２０が地面側を向くように吊支部１４と靴保持体１６との係合角度を調節可能な角度調節機構１８を備える。【選択図】図４
0003124546.tif 000002
【実用新案登録請求の範囲】
【請求項１】
靴等を乾燥させる際にその靴等を保持させる靴等の乾燥用ハンガー装置であって、
フック状の吊支部と、
吊支部の下端側に係合連結され、靴を空中で保持する靴保持体と、を含み、
靴を靴保持体に保持しつつ靴の履き口が地面側を向くように吊支部と靴保持体との係合角度を調節固定可能な角度調節機構を備えることを特徴とする靴等の乾燥用ハンガー装置。
【請求項２】
吊支部と靴保持体は、それぞれが一本の針金部材を折曲して形成されることを特徴とする請求項１記載の靴等の乾燥用ハンガー装置。
【請求項３】
角度調節機構は、吊支部の下端側と靴保持体の上端側に形成された環状部の中孔を挿通して締め込み、ゆるめ自在に取り付けられた枢支連結兼用のボルト、ナット部材を含むことを特徴とする請求項３記載の靴等の乾燥用ハンガー装置。
【請求項４】
靴を乾燥させる際にその靴を保持させる靴等の乾燥用ハンガー装置であって、
フック状の吊支部と、
吊支部の下端側に連結され、靴を保持する靴保持体と、を含み、
靴保持体は靴の履き口が地面側を向くように保持可能な少なくとも一対の引掛け部であって、それぞれの引掛け部は一本の針金部材を折曲して形成されるとともに引掛け部全体が側面視で略逆ハ字状に形成される引掛け部を含むことを特徴とする靴等の乾燥用ハンガー装置。
【考案の詳細な説明】
【技術分野】
【０００１】
本考案は、靴等を乾燥させる際にその靴等を保持させるために用いる靴等の乾燥用ハンガー装置に関する。
【背景技術】
【０００２】
従来、例えば水洗い後の湿気を帯びた靴等を乾燥させる際に、その靴等を吊下げる方法が一般的に行われる。その際に、靴等を保持させるためのものとして、たとえば特許文献１に開示されているような靴乾燥具の提案がなされている。特許文献１によれば、同添付図面の図１、図２に示すように、フック部材（１０）の下端側にコイルバネ６で付勢されつつ靴を挟持する一対の支持部材４を相互にスライド可能に連結させたものが開示されている。
【特許文献１】特開２００１−１４９２９８
【考案の開示】
【考案が解決しようとする課題】
【０００３】
しかしながら、特許文献１によれば、靴を支持部材４で挟持して保持させるものである。したがって、使用者は例えば一方の手で挟持部材４を操作して靴幅程度に挟持部６を開きつつ、他方の手で靴を把持して該挟持部６に靴を挿入して挟持する操作を繰り返す必要があり、靴を靴乾燥具で保持させる作業が煩雑になるという問題があった。特に、大きめの靴を扱う場合や、コイルバネ６の剛性が強くて挟持部を開くためにある程度握力を加える必要がある場合や、靴の保持角度を変化させる場合等に煩雑性が高まるという問題や、握力が低い例えば女性や高齢者にとって扱いにくいという問題があった。また、特許文献１によれば、例えば靴乾燥具ごと洗濯機に入れて使用することもあるため、長期間使用することでコイルバネ６が錆等によって劣化して挟持力が低下し、靴の確実な保持ができなくなる虞があるという問題があった。また、特許文献１によれば、挟持部と把持部とを含み例えばコイルバネ６で付勢された一対の支持部材４や、これらの支持部材をスライドさせつつその長さを伸縮させる機構等を含んでいるため、部品点数が多く構造が複雑となり、製作コストが高くなるという問題があった。
【０００４】
本考案は、上記従来の課題に鑑みてなされたものであり、その目的は、靴等を乾燥させる際に、その靴等を容易かつ迅速に保持させることができるとともにその保持角度を簡単に調節可能で、かつ、低コストで製作可能な靴等の乾燥用ハンガー装置を提供することにある。
【課題を解決するための手段】
【０００５】
上記の目的を達成するために、本考案は、靴１２等を乾燥させる際にその靴１２等を保持させる靴等の乾燥用ハンガー装置１０であって、フック状の吊支部１４と、吊支部１４の下端側に係合連結され、靴１２を空中で保持する靴保持体１６と、を含み、靴を靴保持体１６に保持しつつ靴の履き口２０が地面側を向くように吊支部１４と靴保持体１６との係合角度を調節固定可能な角度調節機構１８を備える構成としている。
【０００６】
その際、吊支部１４と靴保持体１６は、それぞれが一本の針金部材２４を折曲して形成されていてもよい。
【０００７】
また、角度調節機構１８は、吊支部１４の下端側と靴保持体１６の上端側に形成された環状部２８の中孔３０を挿通して締め込み、ゆるめ自在に取り付けられた枢支連結兼用のボルト、ナット部材３２を含んでいてもよい。
【０００８】
また、靴等を乾燥させる際にその靴等を保持させる靴等の乾燥用ハンガー装置４６であって、フック状の吊支部１４と、吊支部１４の下端側に連結され、靴１２を空中で保持する靴保持体４６と、を含み、靴保持体４６は靴の履き口２０が地面側を向くように保持可能な少なくとも一対の引掛け部５０であって、それぞれの引掛け部５０は一本の針金部材５２を折曲して形成されるとともに引掛け部５０全体が側面視で略逆ハ字状に形成される引掛け部５０を含む構成としてもよい。
【考案の効果】
【０００９】
本考案の靴等の乾燥用ハンガー装置によれば、靴を乾燥させる際にその靴を保持させる靴等の乾燥用ハンガー装置であって、フック状の吊支部と、吊支部の下端側に係合連結され、靴を空中で保持する靴保持体と、を含み、靴を靴保持体に保持しつつ靴の履き口が地面側を向くように吊支部と靴保持体との係合角度を調節固定可能な角度調節機構を備える構成であるから、例えば吊支部を介して物干し竿等に靴等の乾燥用ハンガー装置を吊支し、靴保持体で靴を容易に保持しつつ、例えば靴の形等の必要に応じて靴の水切り角度を調節する場合には、角度調節機構を介して吊支部と靴保持体との係合角度を調節することで最適な水切り角度を容易に調節設定させることができる。
【００１０】
また、靴保持体は、吊支部と靴保持体は、それぞれが一本の針金部材を折曲して形成される構成であるから、靴等の乾燥用ハンガー装置の構造簡略化、軽量化ならびに製造コストの低価格化を図ることができる。
【００１１】
また、角度調節機構は、吊支部の下端側と靴保持体の上端側に形成された環状部の中孔を挿通して締め込み、ゆるめ自在に取り付けられた枢支連結兼用のボルト、ナット部材を含む構成であるから、ボルト、ナットの操作という簡単な操作で保持角度を調整可能な靴等の乾燥用ハンガー装置を提供できるとともに、極めて簡単な構造で角度調節機構を実現でき、部品点数等も低減させて製作費の低コスト化および装置の軽量化を図ることができる。
【００１２】
また、靴を乾燥させる際にその靴を保持させる靴等の乾燥用ハンガー装置であって、フック状の吊支部と、吊支部の下端側に連結され、靴を空中で保持する靴保持体と、を含み、靴保持体は靴の履き口が地面側を向くように保持可能な少なくとも一対の引掛け部であって、それぞれの引掛け部は一本の針金部材を折曲して形成されるとともに引掛け部全体が側面視で略逆ハ字状に形成される引掛け部を含む構成であるから、例えば靴を乾燥させる場合には靴の履き口を地面側に向けつつ引掛け部に引掛けるという簡単な操作で、靴の履き口を地面側に向けた乾燥に適した状態で確実に靴を空中に保持できる靴等の乾燥用ハンガー装置を提供できるとともに、装置の構造の簡略化、軽量化ならびに低価格化を図ることができる。
【考案を実施するための最良の形態】
【００１３】
以下、添付図面を参照しつつ本考案を実施するための最良の形態について説明する。本考案の靴乾燥用ハンガー装置は、フック状の吊支部の下端側に靴を保持する靴保持体を係合連結させ、吊支部と靴保持体との係合角度を調節可能とするもので、そのため、靴を乾燥させる際に、その靴を容易かつ迅速に保持させることができるとともにその保持角度を簡単に調節可能なものである。
【００１４】
図１ないし図６は、本考案の靴乾燥用ハンガー装置の実施形態を示しており、本実施形態において靴乾燥用ハンガー装置（以下「ハンガー装置」という。）１０は、吊支部１４と、靴保持体１６と、角度調節機構１８と、を含む。本実施形態において、吊支部１４は、図３に示すように、ハンガー装置１０を、例えば物干し竿Ｒ等に吊支させるための吊支手段であり、例えば５〜６ｍｍ程度の径で、ある程度の重量の靴１２を保持させても変形しない程度の剛性を有する鋼製の針金を折曲して形成される。具体的には、図１、図２、図３に示すように、吊支部１４は、フック部３６と、柄部３４と、を含む。そして、後述する靴保持体１６に靴１２を保持した場合に靴１２が物干し竿Ｒ等に当たって邪魔にならない程度の長さを有する直線状の柄部３４の上端側に、物干し竿Ｒに係合できる程度の大きさの環状のフック部３６を設けて形成される。したがって、図３に示すように、フック部３６を物干し竿Ｒ等に容易に係合させて、ハンガー装置１０を迅速に吊支できる。なお、本実施形態において吊支部１４は、図２に示すように、柄部３４の下端を巻回して後述するボルト部材３２ａが挿通できる程度の径を有するＡ環状部２８を形成し、該Ａ環状部２８を介して後述する靴保持体１６と連結させる。また、吊支部の形状は、本実施形態の形状に限らず、物干し竿や乾燥用の紐等に吊支できる形状であれば、たとえば鍵型等の任意の形状とすることができる。
【００１５】
本実施形態において、靴保持体１６は、靴１２を保持する靴保持手段であり、Ｂ環状部２９、２９と、靴保持部２２と、を含む。図２に示すように、靴保持体１６は、その全体が例えば略１ｍ〜１．５ｍ程度の長さと５〜６ｍｍ程度の径で、靴を保持しても変形しない程度の剛性を有する一本の針金部材２４を折曲して形成される。本実施形態において、Ｂ環状部２９、２９は、上述した吊支部１４と靴保持体１６とを連結させる連結部位である。具体的には、環状部２９は、図２に示すように、上述した針金部材２４の両端部をそれぞれ巻回させて後述するボルト部材３２ａが挿通できる程度の径を有するＢ環状部２９ａ、２９ｂを形成し、これらのＢ環状部２９ａ、２９ｂの中孔３１、３１どうしを対向させ、上述した吊支部１４に形成されたＡ環状部２８をその間に挟持させる程度の間隔を設けて配置されて形成される。したがって、図１、図２に示すように、これらの環状部２８、２９、２９で形成される中孔３０、３１、３１の内側を後述するボルト部材３２ａで同時に挿通して吊支部１４と靴保持体１６とを連結でき、ハンガー装置１０の組み立てを容易に行うことができる。なお、図２において、ボルト部材３２ａと環状部並びにナット部材３２ｂと環状部との当り部分にはそれぞれ滑り止め用座金３３を挟装させるとよく、ボルト部材の締め込み時に吊支部１４と靴保持体１６との接続を鋭角状あるいは急角度の屈曲状態で固定静止させるときには、回転方向の滑りを確実に防止し、軽量、低コストでの装置製作の実効を確保しうる。本実施形態では、滑り止めよう座金３３は円盤本体の表裏面側それぞれに複数の凹部あるいは凸部を形成させたものである。
【００１６】
本実施形態において、靴保持部２２は、図３に示すように、例えば靴１２のアッパー部を吊支状に引掛けて該靴１２を保持する。図２に示すように、靴保持部２２は、例えば一対の周回部４０、４０を含む。具体的には、図２に示すように、これらの周回部４０、４０は、上述した針金部材２４を略楕円形状に折曲してそれぞれ形成され、それぞれの周回部４０、４０を所要の間隔で離隔させつつその下端部どうしが連結されるように折曲されて形成される。そして、図１、図２に示すように、これらの周回部４０、４０は上述したＢ環状部２９の下方位置であって靴１２を靴保持部２２に引掛けても邪魔にならない程度の下方位置に、環状部２９から延長されるアーム部３８と接続して形成される。すなわち、図４に示すように、該Ｂ環状部２９は靴保持体１６の上端に設けられ、全体が側面視略反転く字状に形成される。したがって、図３、図４に示すように、例えば、靴１２のアッパー部等を、靴保持部２２に容易かつ迅速に引掛けて靴を保持させることができるとともに、取り外しも容易かつ迅速に行える。靴保持部は、本実施形態における一対の周回部に限るものではなく、例えば２対等の複数対を設けて複数対の靴を保持可能とさせてもよい。また、靴保持部は略楕円形状に折曲させた形状に限るものではなく、例えば靴のアッパー部等を引掛けることができる形状であれば、例えばＴ字状に折曲させる等、任意の形状で形成できる。
【００１７】
本実施形態において、角度調節機構１８は、靴保持体１６と吊支部１４とを枢支連結させるとともに、吊支部１４と靴保持体１６との所望の係合角度でそれらを連結結合させる。具体的には、図１、図２に示すように、ボルト３２ａと、ナット部材３２ｂとを含み、上述した吊支部１４の下端側に形成された環状部２８と、靴保持体１６の上端側に形成されたＢ環状部２９、２９のそれぞれの中孔３０、３１、３１をボルト部材３２ａで同時に挿通させつつ、ナット部材３２ｂで締め込み、ゆるめ自在に取り付けられる。したがって、図４に示すように、吊支部１４と靴保持体１６とは枢支連結されて靴保持体１６をボルト部材３２の長手方向を軸回りとして回動させつつ、吊支部１４と靴保持体１６との係合角度を容易に調節させることができ、さらにその角度を保持するように固定させることができる。その際、図４、図５に示すように、靴の履き口２０が地面側を向くように係合角度を調節して靴１２の乾燥に最適な水切り角度で靴を保持できるので有効である。また、該ハンガー装置１０を使用しない場合には、図６に示すように、角度調節機構１８を介して吊支部１４と靴保持体１６との係合角度を調節し、吊支部１４を例えば靴保持体１６の周回部４０、４０の間に挟まるようにすればハンガー装置１０全体がコンパクトな形状となり、スペースを取らずに収納可能となる。また、角度調節機構は、本実施形態のものに限らず、例えばラチェット機構等で形成されていてもよい。
【００１８】
次に、本発明の靴等の乾燥用ハンガー装置の第２の実施形態について図７、図８に基づいて説明するが、第１実施形態と同一の部材には同一の符号を付し、その詳細な説明は省略する。本実施形態における靴等の乾燥用ハンガー装置４６の第１実施形態との相違点は、図７、図８に示すように、靴保持体４８が、靴１２の履き口２０を地面側に向けた状態で保持可能な少なくとも一対の引掛け部５０を含み、それぞれの引掛け部５０は一本の針金部材２４を折曲して形成されるとともに引掛け部５０全体が側面視で略逆ハ字状に形成される点である。具体的には、それぞれの引掛け部５０は、図８に示すように、例えば靴サイズの２倍程度長さの針金部材２４を平面視略Ｕ字状に折曲し、該略Ｕ字状の開放端側を吊支部１４の下端側に設けられた後述する回転連結部５６に例えばネジ部材５４でそれぞれ連結固定させる。そして、図７に示すように、引掛け部５０の該略Ｕ字状の長手方向の所要の中間位置で、靴１２を保持した際に所要の水切り角度となるように閉鎖端側を持上げ状に折曲させ、図７に示すように、引掛け部５０全体が側面視で略逆ハ字状に形成される。したがって、図７に示すように、靴の履き口２０を地面側に向けた状態でその履を引掛け部５０に引掛けるという簡単な操作で、靴の履き口２０を確実に地面側に向けた状態で迅速に靴１２を保持できるとともに、ハンガー装置４６の構造簡略化や軽量化を図ることができる。また、引掛け部の平面視折曲形状は、本実施形態の略Ｕ字状に限らず、例えば略Ｏ字状等の靴を保持できる任意の形状としてもよい。
【００１９】
なお、本実施形態において、吊支部１４と靴保持体４８とを連結させる連結部であって、吊支部１４の縦軸回りに靴保持体４８を回転自在に連結する回転連結部５６を含む。よりくわしくは、回転連結部５６は、中空円筒部材５８と、係合片６０と、を含む。図７、図８に示すように、中空円筒部材５８は、例えば略１．５ｃｍ〜２．５ｃｍ程度の直径で略１０ｃｍ程度の長さを有する少なくとも一端が閉鎖された合成樹脂製の中空円筒部材５８で形成される。そして、図７、図８に示すように、該中空円筒部材５８はその長手方向を吊支部の柄部３４と略平行にした状態でその閉鎖端面の中央近傍を、該柄部３４を貫通させつつ該柄部３４の下端側に配置される。また、係合片６０は、図８に示すように、上述した中空円筒部材５８の内径程度の直径を有する円板で形成され、該中空円筒部材５８の内側であって、その中央近傍を該柄部３４の下端に固定して設けられる。したがって、該中空円筒部材５８は吊支部の柄部３４の長手方向を軸回りに自在に回転し、該中空円筒部材５８に取り付けられた靴保持体４８も回転可能となる。よって、靴１２を靴保持体４８に保持して吊支部１４を物干し竿Ｒ等に吊支すれば、例えば風等が吹くこと等の回転力が働くことで靴に縦軸回りの回転を加えつつ効率的に乾燥させ得る。
【００２０】
以上のように、本考案の靴等の乾燥用ハンガー装置によれば、靴等を乾燥させる際に、その靴等を容易かつ迅速に保持させることができるとともにその保持角度を簡単に調節可能で、かつ、低コストで製作可能な靴等の乾燥用ハンガー装置を提供できる。
【００２１】
以上説明した本考案の靴等の乾燥用ハンガー装置は、上記した実施形態のみに限定されるものではなく、実用新案登録請求の範囲に記載した考案の本質を逸脱しない範囲において、任意の改変を行ってもよい。
【産業上の利用可能性】
【００２２】
本考案の靴等の乾燥用ハンガー装置は、一般家庭のみならず学校等においても、また、運動靴からスリッパ等に至る靴等にわたって幅広く用いることができる。
【図面の簡単な説明】
【００２３】
【図１】本考案の第１実施形態に係る靴等の乾燥用ハンガー装置の斜視図である。
【図２】図１の分解説明図である。
【図３】本考案の実施形態に係る靴等の乾燥用ハンガー装置の使用状態の例を示す概略説明図である。
【図４】本考案の実施形態に係る靴等の乾燥用ハンガー装置の使用状態の例を示す概略側面図である。
【図５】本考案の実施形態に係る靴等の乾燥用ハンガー装置の使用状態の例を示す説明図である。
【図６】本考案の実施形態に係る靴等の乾燥用ハンガー装置の使用状態の例を示す説明図である。
【図７】本考案の第２実施形態に係る靴等の乾燥用ハンガー装置の側面図である。
【図８】図７の斜視図である。
【符号の説明】
【００２４】
１０、４６  靴乾燥用ハンガー装置
１２  靴
１４  吊支部
１６  靴保持体
１８  角度調節機構
２０  靴の履き口
２４  針金部材
２８、２９  環状部
３０、３１  中孔
３２ａ、３２ｂ  ボルト、ナット
５０  引掛け部
Ｒ  物干し竿
【図１】
0003124546.tif 000003
【図２】
0003124546.tif 000004
【図３】
0003124546.tif 000005
【図４】
0003124546.tif 000006
【図５】
0003124546.tif 000007
【図６】
0003124546.tif 000008
【図７】
0003124546.tif 000009
【図８】
0003124546.tif 000010
【手続補正書】
【提出日】平成18年5月23日(2006.5.23)
【手続補正１】
【補正対象書類名】実用新案登録請求の範囲
【補正対象項目名】請求項３
【補正方法】変更
【補正の内容】
【請求項３】
角度調節機構は、吊支部の下端側と靴保持体の上端側に形成された環状部の中孔を挿通して締め込み、ゆるめ自在に取り付けられた枢支連結兼用のボルト、ナット部材を含むことを特徴とする請求項１又は２記載の靴等の乾燥用ハンガー装置。
【手続補正書】
【提出日】平成18年7月11日(2006.7.11)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
靴等を乾燥させる際にその靴等を保持させる靴等の乾燥用ハンガー装置であって、
フック状の吊支部と、
吊支部の下端側に係合連結され、靴を空中で保持する靴保持体と、を含み、
靴を靴保持体に保持しつつ靴の履き口が地面側を向くように吊支部と靴保持体との係合角度を調節固定可能な角度調節機構を備えることを特徴とする靴等の乾燥用ハンガー装置。
【請求項２】
吊支部と靴保持体は、それぞれが一本の針金部材を折曲して形成されることを特徴とする請求項１記載の靴等の乾燥用ハンガー装置。
【請求項３】
角度調節機構は、吊支部の下端側と靴保持体の上端側に形成された環状部の中孔を挿通して締め込み、ゆるめ自在に取り付けられた枢支連結兼用のボルト、ナット部材を含むことを特徴とする請求項１又は２記載の靴等の乾燥用ハンガー装置。
【請求項４】
靴を乾燥させる際にその靴を保持させる靴等の乾燥用ハンガー装置であって、
フック状の吊支部と、
吊支部の下端側に連結され、靴を保持する靴保持体と、を含み、
靴保持体は靴の履き口が地面側を向くように保持可能な少なくとも一対の引掛け部であって、それぞれの引掛け部は一本の針金部材を折曲して形成されるとともに引掛け部全体が側面視で略逆ハ字状に形成される引掛け部を含むことを特徴とする靴等の乾燥用ハンガー装置。